(57)【要約】【課題】本発明は、再生時等の表示時の大画面化と操作時のグリップ性向上とを両立することができるスイッチパネル付き表示装置を提供する。【解決手段】電子カメラ１０の背面に設けられたスイッチパネル２６は、モニタ２６の表示画面から退避した位置とモニタ２６の表示画面の一部を覆う進出位置との間で移動可能である。電子カメラ１０は、電源スイッチ２４をＯＮにした状態でスイッチパネル２６を退避位置に位置させると、ＣＰＵ４４により再生モードに切り替えられてモニタ２６の全表示画面にハイビジョンサイズの画像が写し出される。また、スイッチパネル２６を進出位置に位置させると、ＣＰＵ４４により撮影モードに切り替えられ、モニタ２６のスイッチパネル２６が重なる部分を除く画面に標準サイズのスルー画像が写し出される。【選択図】      図３
2006339987.tif 000002
【特許請求の範囲】
【請求項１】
表示画面を有する装置本体と、
前記表示画面の一部を覆う位置と表示画面から退避した位置との間で移動可能に構成されるとともに各種操作ボタンが配置されたスイッチパネルと、
前記スイッチパネルの移動に連動して前記表示画面における画像の表示形態を切り替える表示切替手段と、
を備えたことを特徴とするスイッチパネル付き表示装置。
【請求項２】
前記表示切替手段は、前記スイッチパネルが前記表示画面の一部を覆う位置に位置すると、該一部を除く表示画面に画像を表示させ、前記スイッチパネルが前記表示画面から退避した位置に位置すると、表示画面の全画面に画像を表示するように表示形態を切り替えることを特徴とする請求項１に記載のスイッチパネル付き表示装置。
【請求項３】
表示画面を有する装置本体と、
前記表示画面の一部を覆う位置と表示画面から退避した位置との間で移動可能なグリップ部と、
前記グリップ部が前記表示画面から退避した位置にある際に、表示画面の一部を覆う位置と前記グリップ部に収納される位置との間で移動可能に構成されたスイッチパネルと、
を備えたことを特徴とするスイッチパネル付き表示装置。
【請求項４】
前記スイッチパネルの移動に連動して前記表示画面における画像の表示形態を切り替える表示切替手段を備えたことを特徴とする請求項３に記載のスイッチパネル付き表示装置。
【請求項５】
前記表示切替手段は、前記スイッチパネルが前記表示画面の一部を覆う位置に位置すると、該一部を除く表示画面に画像を表示させ、前記スイッチパネルが前記グリップに収納される位置に位置すると、表示画面の全画面に画像を表示するように表示形態を切り替えることを特徴とする請求項４に記載のスイッチパネル付き表示装置。
【請求項６】
前記グリップ部の移動に連動して電源をオン・オフする電源スイッチを備えたことを特徴とする請求項３、４又は５のうちいずれか一つに記載のスイッチパネル付き表示装置。
【発明の詳細な説明】
【技術分野】
【０００１】
本発明はスイッチパネル付き表示装置に係り、特に表示画面に近接配置されたスイッチパネルを操作することにより各種操作が可能なスイッチパネル付き表示装置に関する。
【背景技術】
【０００２】
デジタルカメラ等の電子カメラ、カメラ付き携帯電話、携帯情報端末（ＰＤＡ）、携帯ゲーム機器等の機器においては液晶モニタ等の表示装置が設けられ、この表示装置の表示画面に、カメラにおいては撮影前のスルー画像や撮影した画像が表示される。
【０００３】
ところで近年、上記のような機器の小型化が急速に進んでいるが、表示装置については迫力のある見やすい画像を映し出すため、より大きな画面サイズが望まれている。この要求により、上記のような機器においては大画面の表示装置が搭載されているが、機器本体のサイズに対して表示画面の占める面積が大きくなると、機器を握るグリップ部が小さくなるため、ユーザが機器を保持し難くなり機器の操作性が低下するという欠点があった。また、機器を把持する手で表示画面を触ってしまい、映像の一部が見えなくなるという問題もあった。
【０００４】
そこで、このような問題を解決するため、本願出願人は特許文献１において、再生時に大画面モニタで迫力のある画像の再生を可能にするとともに、撮影時にはカメラを把持する手によって隠れる表示画面の一部を画像が表示されないタッチパネルとして利用し、そのタッチパネルの部分をも保持可能とすることによりグリップ性を向上させたモニタ付きカメラを提案している。
【０００５】
特許文献１のカメラによれば、撮影時は表示画面上で構図を確認するだけであり画像を観賞する訳ではないので大画面は必要なく、むしろグリップ性を高めて撮影操作性を向上させたい理由から、タッチパネルをグリップ部として兼用し、また、画像に関しては、タッチパネルとして利用される以外の範囲の画面に縮小表示している。
【０００６】
なお、特許文献２に開示された電子カメラは、モニタを備えたカメラ本体にグリップ部が引き出し／収納自在に設けられている。この電子カメラによれば、グリップ部が引き出された際に電源がＯＮとなり、グリップ部が収納された際にＯＦＦとなる。グリップ部が引き出されるとグリップ性が向上し、モニタも露出するため大画面を確保できる。また、グリップ部が収納された形態では、表示画面の一部をグリップ部が覆う形態となる。しかしながら、この電子カメラは、グリップ部を収納した際に電源がＯＦＦになるためモニタには何も表示されず、よって、グリップ部の位置に応じてモニタの表示形式を切り替えるものではない。
【０００７】
同様に特許文献３に開示されたデジタルカメラは、ＬＣＤを備えたカメラ本体にＬＣＤカバーがスライド自在に構成され、ＬＣＤカバーは、ＬＣＤを全て覆う位置とＬＣＤから退避した位置との範囲で移動する。しかしながら、このデジタルカメラは、ＬＣＤの一部をＬＣＤカバーにて覆うものではなく、また、ＬＣＤカバーの位置に応じてＬＣＤの表示形態を切り替えるものではない。
【特許文献１】特開平１１−２８９４８４号公報
【特許文献２】特開平１１−２９８７７３号公報
【特許文献３】特開平１０−３０４２２９号公報
【発明の開示】
【発明が解決しようとする課題】
【０００８】
しかしながら、特許文献１のモニタ付きカメラは、撮影時において画像が表示されない表示画面の一部をタッチパネルとして利用しているが、表示画面に直接触れて操作していることに違いはない。よって、再生時に画像が全画面に表示された際に、タッチパネルとして利用された表示画面の一部が指操作によって汚れているため、その部分に表示される画像が見え難くなるという問題があった。
【０００９】
本発明はこのような事情に鑑みてなされたもので、再生時等の表示時の大画面化と操作時のグリップ性向上とを両立することができるスイッチパネル付き表示装置を提供することを目的とする。
【課題を解決するための手段】
【００１０】
請求項１に記載の発明は、前記目的を達成するために、表示画面を有する装置本体と、前記表示画面の一部を覆う位置と表示画面から退避した位置との間で移動可能に構成されるとともに各種操作ボタンが配置されたスイッチパネルと、前記スイッチパネルの移動に連動して前記表示画面における画像の表示形態を切り替える表示切替手段と、を備えたことを特徴としている。
【００１１】
請求項１に記載の発明によれば、スイッチパネルが表示装置の表示画面の一部を覆う位置と表示画面から退避した位置との間で移動可能に構成されており、このスイッチパネルの移動に連動して表示画面における表示形態を表示切替手段によって切り替える。請求項１は、例えばカメラにおいては、大画面を必要としない撮影時に、表示画面の一部を覆う位置にスイッチパネルを位置させることにより、グリップ部として利用される面積を広く確保することができるので、操作時のグリップ性を向上させることができる。その時のスルー画像は、前記一部を除く画面に表示される。例えば、表示切替手段は、スイッチパネルが表示装置の表示画面の一部を覆う位置に位置すると、前記一部を除く画面に画像を表示するように表示形態を切り替える。一方、再生時にはスイッチパネルを表示画面から退避した位置に位置させるので、再生時の大画面化を実現できる。例えば、表示切替手段は、スイッチパネルが表示画面から退避した位置に位置すると、全表示画面に画像を表示するように表示形態を切り替える。
【００１２】
請求項２に記載の発明は、請求項１に記載の発明において、前記表示切替手段は、前記スイッチパネルが前記表示画面の一部を覆う位置に位置すると、該一部を除く表示画面に画像を表示させ、前記スイッチパネルが前記表示画面から退避した位置に位置すると、表示画面の全画面に画像を表示するように表示形態を切り替えることを特徴としている。
【００１３】
請求項２に記載の発明によれば、スイッチパネルが表示画面の一部を覆う位置に位置すると、表示切替手段は、その一部を除く表示画面に画像を表示させるので、スイッチパネルによって邪魔されることなく全画像を確認することができる。また、スイッチパネルが表示画面から退避した位置に位置すると、表示切替手段は、全表示画面に画像を表示させるので、大画面化を実現できる。
【００１４】
請求項３に記載の発明は、前記目的を達成するために、表示画面を有する装置本体と、前記表示画面の一部を覆う位置と表示画面から退避した位置との間で移動可能なグリップ部と、前記グリップ部が前記表示画面から退避した位置にある際に、表示画面の一部を覆う位置と前記グリップ部に収納される位置との間で移動可能に構成されたスイッチパネルと、を備えたことを特徴としている。
【００１５】
請求項３に記載の発明によれば、画像の表示時にはグリップ部を表示画面から退避した位置に位置させるとともに、スイッチパネルをそのグリップ部に収納する。これにより、大画面化を実現できる。そして、スイッチパネルを操作する場合には、スイッチパネルをグリップ部から引き出して表示画面の一部を覆う位置に位置させる。この時、スイッチパネルもグリップ部として兼用できるので、グリップ部とスイッチパネルとによる実際のグリップ部の面積が広がり、よって操作時のグリップ性が向上する。更に、グリップ部を表示画面の一部を覆う位置に位置させることにより筐体がコンパクトになるので携帯性が向上する。なお、グリップ部に、スイッチパネルが露出する開口部を形成することにより、スイッチパネルをグリップ部に収納した状態で前記開口部を介して操作可能なので、画像を大画面で見ながらスイッチパネルを操作することもできる。
【００１６】
請求項４に記載の発明は、請求項３に記載の発明において、前記スイッチパネルの移動に連動して前記表示画面における画像の表示形態を切り替える表示切替手段を備えたことを特徴としている。
【００１７】
請求項４に記載の発明によれば、スイッチパネルの移動に連動して表示画面における表示形態を表示切替手段によって切り替える。
【００１８】
請求項５に記載の発明は、請求項４に記載の発明において、前記表示切替手段は、前記スイッチパネルが前記表示画面の一部を覆う位置に位置すると、該一部を除く表示画面に画像を表示させ、前記スイッチパネルが前記グリップ部に収納される位置に位置すると、表示画面の全画面に画像を表示するように表示形態を切り替えることを特徴としている。
【００１９】
請求項５に記載の発明によれば、表示切替手段は、スイッチパネルが表示画面の一部を覆う位置に位置すると、この一部を除く表示画面に画像を表示させる。そして、スイッチパネルがグリップ部に収納される位置に位置すると、表示画面の全画面に画像を表示するように表示形態を切り替える。これにより、グリップ性が向上し操作性も向上する。
【００２０】
請求項６に記載の発明は、請求項３、４又は５のうちいずれか一つに記載の発明において、前記グリップ部の移動に連動して電源をオン・オフする電源スイッチを備えたことを特徴としている。
【００２１】
請求項６に記載の発明によれば、グリップ部の移動に連動して電源をオン・オフする電源スイッチを備えているので、例えばグリップ部を表示画面の一部を覆う位置に位置した時にＯＦＦし、表示画面から退避した位置に位置した時にＯＮにすれば、電源スイッチを別途設ける必要がなく、グリップ部を操作するだけで電源のＯＮ／ＯＦＦを行うことができる。よって、操作性が向上する。
【発明の効果】
【００２２】
本発明に係るスイッチパネル付き表示装置によれば、スイッチパネルを表示装置の表示画面の一部を覆う位置に移動させたので操作時のグリップ性が向上し、また、再生時にはスイッチパネルを表示画面から退避した位置に移動させたので再生時の大画面化を実現できる。
【００２３】
また、本発明に係るスイッチパネル付き表示装置によれば、画像の表示時にはグリップ部を表示画面から退避した位置に位置させるとともに、スイッチパネルをそのグリップ部に収納するようにしたので、大画面化を実現できる。そして、スイッチパネルを操作する場合には、スイッチパネルをグリップ部から引き出して表示画面の一部を覆う位置に位置させたので、操作時のグリップ性が向上する。
【発明を実施するための最良の形態】
【００２４】
以下、添付図面に従って本発明に係るスイッチパネル付き表示装置の好ましい実施の形態について説明する。なお、以下の説明では、本発明のスイッチパネル付き表示装置を電子カメラに適用した例について説明するが、本発明はこれに限定されるものではなく、携帯電話や携帯情報端末（ＰＤＡ）、ポケットＰＣ等の携帯ＰＣ、及び携帯ゲーム機器等に適用可能である。
【００２５】
図１は本発明が適用された電子カメラ１０の正面外観図であり、図２はその背面外観図である。これらの図の如く、電子カメラ１０の正面左上隅部には撮像部１２が設けられ、撮像部１２の撮影レンズ１４の後方にはＣＣＤ（不図示）が配置される。撮影レンズ１４としては、例えば、変倍群と補正群とからなるリヤフォーカス式ズームレンズが用いられている。
【００２６】
撮像部１２を含むカメラ本体１６の左側の部分は、撮影者が右手でカメラ本体１６を把持し易いように前方に膨らんだグリップ部１８が形成されている。また、カメラ本体１６の上面にはシャッターボタン２０、及びコマ送り／コマ戻しボタン２２が配置される。更に、カメラ本体１６の正面右上隅部にはストロボ発光部２３が設けられている。
【００２７】
グリップ部１８の側面には、図２の如く主電源のＯＮ／ＯＦＦ切り換えを行う電源スイッチ２４が配置される。電源スイッチ２４は、カメラ本体１６の側面に沿って摺動自在に取り付けられ、図示しない付勢手段によってカメラ本体１６の上向き側に付勢されている。すなわち、電源スイッチ２４から指を離すと、前記付勢手段の付勢力によって電源スイッチ２４は元の上位置に戻り、電源スイッチ２４を図２上で矢印方向にスライド操作することによって電源がＯＮ／ＯＦＦされる。
【００２８】
電子カメラ１０の背面にはモニタ（表示画面）２６が設けられる。このモニタ２６は、液晶ディスプレイ（ＬＣＤ）によって構成され、カメラ本体１６の大きさに対して可能な限り大画面のものが用いられ、図２に示すフル画面においてハイビジョンサイズ（縦横比９：１６）の画像を表示することができる。なお、モニタ２６は、図３に示した形態において、標準サイズ（縦横比３：４）の画像も表示することができる。
【００２９】
一方、モニタ２６に隣接した右側方には、矩形状のスイッチパネル２８が設けられる。スイッチパネル２８は、上部及び下部が前方に９０°折り曲げられた形状に形成され、その上部折曲部３０がカメラ本体１６の上面に形成された上部摺動溝３２に係合され、下部折曲部３４がカメラ本体１６の下面に形成された下部摺動溝３６に係合されている。これにより、スイッチパネル２８は、カメラ本体１６の長手方向に沿ってスライド自在に取り付けられ、図２の如くモニタ２６から完全に退避した退避位置と、図３の如くモニタ２６の右側部分（一部）を覆う進出位置との範囲でスライド移動される。
【００３０】
また、図３の如く下部摺動溝３６の右側にはクリックボール３８が埋設され、このクリックボール３８に、下部折曲部３４の内側面に形成された凹部（不図示）が嵌合することにより、スイッチパネル２８が図２の退避位置に保持される。また、図２の如く下部摺動溝３６の左側にはクリックボール４０が埋設され、このクリックボール４０に、下部折曲部３４の前記凹部が嵌合することにより、スイッチパネル２８が図３の進出位置に保持される。
【００３１】
更に、電子カメラ１０にはスイッチパネル２８が図２の退避位置に位置したこと、及び図３の進出位置に位置したことを検出する位置センサ４２が図４の如く設けられている。この位置センサ４２からのスイッチパネル２８の位置を示す信号が、電子カメラ１０を統括・制御するＣＰＵ４４に出力される。位置センサ４２からＣＰＵ４４に前記退避位置に位置したことを示す信号が出力されると、ＣＰＵ４４はモードが撮影モードから再生モードに切り替えられたことを認識する。また、位置センサ４２からＣＰＵ４４に前記進出位置に位置したことを示す信号が出力されると、ＣＰＵ４４はモードが再生モードから撮影モードに切り替えられたことを認識する。なお、ＣＰＵ４４は、進出位置を示す信号が入力されると、モニタ２６に表示される画像を標準サイズに設定し、また、退避位置を示す信号が入力されると、モニタ２６に表示される画像をハイビジョンサイズに設定する。すなわち、ＣＰＵ４４は、表示切替手段の機能を有している。
【００３２】
図４は、電子カメラ１０の全体構成を示したブロック図である。
【００３３】
同図に示すように電子カメラ１０は、撮像部１２、信号処理部４６、記録部（内蔵メモリ又は着脱自在な外部メモリを含む）４８、出力用メモリ５０、Ｄ／Ａ変換器５２、モニタ２６、スイッチパネル２８、位置センサ４２、及びＣＰＵ４４等から構成される。
【００３４】
撮像部１２の撮影レンズ１４（図１参照）を介してＣＣＤの受光面に結像した被写体像は、ＣＣＤにおいて光電変換され、画像信号として順次読み出される。信号処理部４６は、周知の如くＣＤＳクランプ回路、ゲイン調整回路等のアナログ処理回路、Ａ／Ｄ変換器、及び輝度信号生成回路、色差信号生成回路、並びにガンマ補正経路等のデジタル画像処理回路等によって構成されている。
【００３５】
撮影部１２から読み出された画像信号は信号処理部４６によって処理された後、記録部４８に記録されるとともに出力用メモリ５０に出力される。そして、その画像信号はＤ／Ａ変換器５２を介してモニタ２６に出力され、モニタ２６の画面上に画像が写し出される。モニタ２６にはレリーズ操作によって撮影した静止画のみならず、レリーズ操作前のスルー画像、及び記録部４８に記録された画像（再生画像）も写し出される。
【００３６】
なお、この電子カメラ１０は、公知の自動露出調整機能及びオートフォーカス機能を具備しており、撮影者が電子カメラ１０の撮像部１２を被写体に向けることにより、最適な露出調整及びピント合わせが自動的に行われる。そして、撮影モードに設定した状態でシャッターボタン２０を押圧操作すると、この操作に伴って撮影開始信号が発信され撮影が実行される。すなわち、撮影開始信号の受入に呼応して撮像部１２から読み出された画像信号は、信号処理部３４において適宜処理され、例えば、Ｅｘｉｆ（Exchangeable image file format）ファイル規定その他の所定の形式に従って記録部４８に記録される。記録部４８は、カメラ内蔵のフラッシュメモリ又は着脱自在な外部メモリカード等の記録媒体を含む。
【００３７】
ＣＰＵ４４は、電子カメラ１０の各回路を統括・制御するもので、位置センサ４２からの位置情報に基づいてモニタ２６に写し出される画像の表示形態をハイビジョンサイズ、標準サイズに変更制御するとともに、スイッチパネル２８等の各種操作ボタンから受入する信号に応じてモニタ２６に表示する内容を変更する表示制御を行う。
【００３８】
スイッチパネル２６には図２、図３の如く、画像の再生時に操作する再生ボタン５４、早送りボタン５６、巻き戻しボタン５８、停止ボタン６０、一時停止ボタン６２等の操作ボタンが所定の位置に配置されている。また、スイッチパネル２６を図３の進出位置に位置させた時に露出するカメラ本体１６の背面には、ズームシーソーレバー６４、及びセルフタイマー、ホワイトバランス、感度等を設定するメニューボタン６６が配置されている。図４に示したＣＰＵ４４は、これらの操作ボタン５４〜６６からから受入する信号に応じてモニタ２６に表示する内容を変更する。
【００３９】
次に、前記の如く構成された電子カメラ１０の作用について説明する。
【００４０】
電子カメラ１０の背面に設けられたスイッチパネル２６は、図２の如くモニタ２６の表示画面から退避した位置と、図３の如くモニタ２６の表示画面の一部を覆う進出位置との間で移動可能である。そして、電子カメラ１０は、電源スイッチ２４をＯＮにした状態でスイッチパネル２６を図２の退避位置に位置させると、図４のＣＰＵ４４により再生モードに切り替えられるとともに、モニタ２６の全表示画面に再生画像を表示するように表示形態がハイビジョンサイズに切り替えられる。また、スイッチパネル２６を図３の進出位置に位置させると、ＣＰＵ４４により撮影モードに切り替えられるとともに、スイッチパネル２６が重なる部分を除く画面にスルー画像を表示するように表示形態が標準サイズに切り替えられる。また、標準サイズ画面の下の余った表示画面６８には、撮影時のチャプターナンバー、Ｆ値、シャッタスピード等が文字表示される。
【００４１】
このように、構図を決めるだけの大画面を必要としない撮影モード時に、スイッチパネル２６をモニタ２６の表示画面の一部を覆う進出位置に位置させることにより、グリップ部として利用される面積をスイッチパネル２６の進出面積分だけ広くとることができるので、電子カメラ１０の撮影時におけるグリップ性を向上させることができる。
【００４２】
また、図２に示す画像の再生時には、スイッチパネル２６はモニタ２６の表示画面から完全に退避した位置に位置するので、再生時の大画面化を実現でき、モニタ２６の表示画面にはハイビジョン画像が写し出される。よって、迫力のある画像を観賞できる。
【００４３】
図５〜図１０には、本発明の他の実施の形態に係る電子カメラ１００が示されている。なお、図５、図６は電源がＯＦＦの形態、図７、図８は撮影モードの形態、図９、図１０は再生モードの形態をそれぞれ示している。
【００４４】
これらの図に示す電子カメラ１００は、カメラ本体１０２の背面にモニタ１０４が設けられている。このモニタ１０４は、液晶ディスプレイ（ＬＣＤ）によって構成され、カメラ本体１０２の大きさに対して可能な限り大画面のものが用いられている。また、モニタ１０４は、図９に示した再生モードにおいてハイビジョンサイズの画像をフル画面表示することができ、また、図７に示した撮影モードにおいて標準サイズの画像を表示することができる。
【００４５】
一方、カメラ本体１０２の右側部には、グリップ部１０６が設けられている。このグリップ部１０６は、カメラ本体１０２の右側部を収容可能に略箱形状に形成され、図５、図６の如くモニタ１０４の表示画面の一部を覆う進出位置と、図７〜図１０の如くモニタ１０４の表示画面から退避した退避位置との間でスライド移動される。このグリップ部１０６は電源スイッチと兼用されており、図５、図６の進出位置に位置すると電源がＯＦＦになり、図７〜図１０の退避位置に位置すると電源がＯＮになる。
【００４６】
また、この電子カメラ１００は、矩形状のスイッチパネル１０８を有している。スイッチパネル１０８は図７、図８の如くグリップ部１０６がモニタ１０４から退避した位置にある際に、モニタ１０４の右側部（一部）を覆う進出位置と、図９、図１０の如くグリップ部１０６に収納される収納位置との間でスライド移動可能に構成されている。
【００４７】
更にまた、電子カメラ１００にはスイッチパネル１０８の位置を検出する位置センサ（不図示）が設けられ、この位置センサからのスイッチパネル１０８の位置を示す信号が、電子カメラ１００を統括・制御するＣＰＵ（不図示）に出力される。位置センサからＣＰＵに前記収納位置に位置したことを示す信号が出力されると、ＣＰＵはモードが撮影モードから再生モードに切り替えられたことを認識する。また、位置センサからＣＰＵに前記進出位置に位置したことを示す信号が出力されると、ＣＰＵ４４はモードが再生モードから撮影モードに切り替えられたことを認識する。なお、ＣＰＵは、進出位置を示す信号が入力されると、モニタ１０４に表示される画像を標準サイズに設定し、また、退避位置を示す信号が入力されると、モニタ１０４に表示される画像をハイビジョンサイズに設定する。すなわち、ＣＰＵは、表示切替手段の機能を有している。
【００４８】
スイッチパネル１０８には、ズームテレボタン１１０、ズームワイドボタン１１２、絞り設定ボタン１１４、メニューボタン１１６等各種操作ボタンが設けられている。ＣＰＵは、これらの操作ボタン１１０〜１１６からから受入する信号に応じてモニタ１０４に表示する内容を変更する。なお、これらの操作ボタン１１０〜１１６は、スイッチパネル１０８がグリップ部１０６に収納された状態においても、グリップ部１０６に形成された開口部１１８を介して操作可能である。また、図６の符号１１９は、撮像部を構成するレンズ鏡胴であり、符号１２０は開口部を覆う透明カバーである。この透明カバー１２０は、図６の如くグリップ１０６が進出位置に位置した際に、また、図１０の如くスイッチパネル１０８がグリップ部１０６に収納される収納位置に位置した際に、スイッチパネル１０８の裏側に位置する。
【００４９】
次に、前記の如く構成された電子カメラ１００の作用について説明する。
【００５０】
電子カメラ１００を用いて被写体を撮影する場合には、まず最初に図７、図８の如く、グリップ部１０６をカメラ本体１０２に対して引き出してモニタ１０４から退避した退避位置に位置させる。これにより、電子カメラ１００の電源がＯＮになる。次に、スイッチパネル１０８をグリップ部１０６から引き出してモニタ１０４の表示画面の右側部を覆う位置に位置させる。これにより、モードが再生モードから撮影モードに切り替わるとともに、モニタ１０４には、スイッチパネル１０８が重ならない画面上に標準サイズのスルー画面が写し出される。この時、スイッチパネル１０８もグリップ部として兼用できるので、グリップ部１０６とスイッチパネル１０８とによる実際のグリップ部の面積が広がり、よって撮影時のグリップ性が向上する。
【００５１】
次に、撮影した画像を観賞する場合には図９、図１０に示すように、退避位置にあるグリップ部１０６にスイッチパネル１０８を収納する。これにより、モニタ１０４にはハイビジョンサイズの画像がフル画面で写し出されるので大画面化を実現できる。なお、グリップ部１０６には、スイッチパネル１０８の各種操作ボタンが露出する開口部１１８が形成されているので、スイッチパネル１０８をグリップ部１０６に収納した状態で開口部１１８を介して操作することができる。よって、画像を大画面で見ながらスイッチパネル１０８を操作することもできる。
【００５２】
また、この電子カメラ１００によれば、グリップ部１０６の移動に連動して電源がオン・オフするので、電源スイッチを別途設ける必要がなく、よって、操作性が向上する。
【００５３】
更にまた、電子カメラ１００を携帯する場合には図５、図６の如くグリップ部１０６をモニタ１０４に対して進出させる。これにより、電源もＯＦＦになり、筐体もコンパクトになるので携帯性も向上する。
【図面の簡単な説明】
【００５４】
【図１】本発明が適用された電子カメラの正面外観図
【図２】図１に示した電子カメラを背面側から見た外観図であり、再生モード時における電子カメラの使用形態を示した説明図
【図３】撮影モード時における電子カメラの使用形態を示した説明図
【図４】本発明の実施の形態に係る電子カメラの全体構成を示すブロック図
【図５】他の実施の形態を示す電子カメラの背面図であり、携帯時の形態を示した説明図
【図６】図５に示した電子カメラの要部断面図
【図７】撮影モード時における図５の電子カメラの使用形態を示した説明図
【図８】図７に示した電子カメラの要部断面図
【図９】再生モード時における図５の電子カメラの使用形態を示した説明図
【図１０】図９に示した電子カメラの要部断面図
【符号の説明】
【００５５】
１０…電子カメラ、１２…撮像部、１６…カメラ本体、１８…グリップ部、２４…電源スイッチ、２６…モニタ、２８…スイッチパネル、４２…位置センサ、４４…ＣＰＵ、１００…電子カメラ、１０２…カメラ本体、１０４…モニタ、１０６…グリップ部、１０８…スイッチパネル
【図１】
2006339987.tif 000003
【図２】
2006339987.tif 000004
【図３】
2006339987.tif 000005
【図４】
2006339987.tif 000006
【図５】
2006339987.tif 000007
【図６】
2006339987.tif 000008
【図７】
2006339987.tif 000009
【図８】
2006339987.tif 000010
【図９】
2006339987.tif 000011
【図１０】
2006339987.tif 000012